(57)【特許請求の範囲】
【請求項１】
一対の側板を有する天井枠と、
天井枠の一対の側板間に、回転自在に取り付けられた複数のルーバー羽根と、
これらルーバー羽根の近傍に移動自在に配置された駆動体と、
各ルーバー羽根に固定されるとともに、駆動体に回転自在に連結された連結棒とを備え、
駆動体と、各ルーバー羽根と、ルーバー羽根に対応する連結棒とにより駆動リンク機構を構成し、
駆動体を移動させることにより各ルーバー羽根を同期して駆動し、
ルーバー羽根は、その両端部に、隣接するルーバー羽根と係合する係合突起部と係合凹部とを各々有し、
各ルーバー羽根は、回転されて回転角度が０°となることで、前記係合突起部が隣接するルーバー羽根の前記係合凹部内に嵌め込まれて係合し、
ルーバー羽根は、係合突起部と係合凹部の間に、一対の凹部と、当該凹部間に設けられた凸部とを有し、
採光部が、凸部に設けられていることを特徴とするルーバー羽根システム。
【請求項２】
採光部が、半透明であることを特徴とする請求項１に記載のルーバーシステム。
【請求項３】
採光部が、紫外線カット樹脂からなることを特徴とする請求項１または２のいずれかに記載のルーバーシステム。
【請求項４】
駆動体は、駆動体を天井枠に対して移動させる駆動制御部に連結されていることを特徴とする請求項１乃至３のいずれか１項に記載のルーバー羽根システム。
【発明の詳細な説明】
【技術分野】
【０００１】
本発明は、回転自在な複数のルーバー羽根を有するルーバーシステムに係わり、とりわけ室内への採光を十分に行うことができるルーバーシステムに関する。
【背景技術】
【０００２】
従来、室内を換気したり、室内に採光したり、プライバシーを守るために複数のルーバー羽根を有するルーバーシステムが用いられている。このようなルーバーシステムにおいて、各ルーバー羽根は完全に閉じた状態（０°）から完全に開いた状態（９０°）までの開閉が可能であり、完全に閉じた状態（０°）から完全に開いた状態（９０°）までの間であれば、ルーバー羽根の角度を調整することができる。
【発明の開示】
【発明が解決しようとする課題】
【０００３】
しかしながら、従来のルーバーシステムにおいて、ルーバー羽根は９０°より大きな角度まで開けることができないため、あらゆる角度から十分に室内に採光することができなかった。
【０００４】
本発明は、このような点を考慮してなされたものであり、０°から９０°以上の所定の角度まで自由かつ確実に回転することができるルーバー羽根を有し、これにより室内への採光を十分に行うことができるルーバーシステムを提供することを目的とする。
【課題を解決するための手段】
【０００５】
本発明は、一対の側板を有する基台と、基台の一対の側板間に、回転自在に取り付けられた複数のルーバー羽根と、これらルーバー羽根の近傍に移動自在に配置された駆動体と、各ルーバー羽根に固定されるとともに、駆動体に回転自在に連結された連結棒とを備え、駆動体と、各ルーバー羽根と、ルーバー羽根に対応する連結棒とにより駆動リンク機構を構成し、駆動体を移動させることにより各ルーバー羽根を同期して駆動することを特徴とするルーバー羽根システムである。
【０００６】
本発明は、ルーバー羽根は、半透明な採光部を有することを特徴とするルーバー羽根システムである。
【０００７】
本発明は、ルーバー羽根は、その両端部に、隣接するルーバー羽根と係合する係合突起部と係合凹部とを各々有することを特徴とするルーバー羽根システムである。
【０００８】
本発明は、ルーバー羽根の半透明な採光部は、係合突起部と係合凹部との間に設けられていることを特徴とするルーバー羽根システムである。
【０００９】
本発明は、ルーバー羽根は、係合突起部と係合凹部の間に、一対の凹部と、当該凹部間に設けられた凸部とを有することを特徴とするルーバー羽根システムである。
【００１０】
本発明は、採光部は、凸部に設けられていることを特徴とするルーバー羽根システムである。
【００１１】
本発明は、駆動体は、駆動体を基台に対して移動させる駆動制御部に連結されていることを特徴とするルーバー羽根システムである。
【発明の効果】
【００１２】
本発明によれば、０°から９０°以上の所定の角度まで自由かつ確実に回転することができるルーバー羽根を有し、これにより室内への採光を十分に行うことができるルーバーシステムを提供することができる。
【発明を実施するための最良の形態】
【００１３】
第１の実施の形態
以下、本発明に係るルーバー羽根システムの実施の形態について、図面を参照して説明する。ここで、図１乃至図３は本発明の第１の実施の形態を示す図である。
【００１４】
図１（ａ）（ｂ）（ｃ）及び図２（ａ）（ｂ）に示すように、本実施の形態のルーバー羽根システムは、一対の側板５を有する天井枠（基台）７ａと、天井枠７ａの一対の側板５間に、回転軸２を中心として回転自在に取り付けられた複数のルーバー羽根２０と、これらルーバー羽根２０の上方に配置され、横方向に移動自在に配置された駆動体３とを備えている。このうち各ルーバー羽根２０には、取付部１ａを介して連結棒４が固定されており、各々の連結棒４は、回転部１ｂを介して回転自在に駆動体３に連結されている。
【００１５】
ここで、図１（ａ）はルーバー羽根２０が閉鎖位置（０°）にあるルーバー羽根システムを示し、図１（ｂ）はルーバー羽根２０が９０°まで回転したルーバー羽根システムを示し、図１（ｃ）はルーバー羽根２０が９０°以上の所定の角度まで回転したルーバー羽根システムを示す。また、図２（ａ）はルーバー羽根２０が閉鎖位置（０°）にあるルーバー羽根システムを示し、図２（ｂ）はルーバー羽根２０が９０°以上の所定の角度まで回転したルーバー羽根システムを示す。
【００１６】
図１（ａ）（ｂ）（ｃ）及び図２（ａ）（ｂ）に示すように、ルーバー羽根２０の両端部には、隣接するルーバー羽根２０と係合する係合突起部２８と係合凹部２７とが各々設けられており、また係合突起部２８と係合凹部２７の間には、一対の凹部２６と、当該凹部２６間に設けられた凸部２５とが設けられている。
【００１７】
また図１（ａ）（ｂ）（ｃ）に示すように、駆動体３は、駆動体３を天井枠７ａに対して横方向に移動させる駆動制御部５０に連結されている。
【００１８】
次に、このような構成からなる本実施の形態の作用について述べる。
【００１９】
図１（ａ）（ｂ）（ｃ）及び図２（ａ）（ｂ）に示すように、ルーバー羽根２０は、天井枠７ａの一対の側板５間に、回転軸２を中心として回転自在に取り付けられており、このルーバー羽根２０には駆動体３に回転自在に連結された連結棒４が固定されている。また駆動体３は、ルーバー羽根２０の上方に配置され、横方向に移動自在となっている。
【００２０】
このため、駆動体３と、各ルーバー羽根２０と、ルーバー羽根２０に対応する連結棒４とによって、駆動リンク機構を構成することができ、駆動体３を横方向に移動させることにより、各ルーバー羽根２０を天井枠７ａに対して同期させて、０°（図１（ａ）及び図２（ａ）参照）から９０°以上の所定の角度（図１（ｃ）及び図２（ｂ）参照）まで自由に回転させることができる。
【００２１】
すなわち、図１（ａ）（ｂ）（ｃ）に示すように、回転部１ｂと取付部１ａと回転軸２の互いの配置関係は、一定のものに固定されているので、回転軸２と回転部１ｂとの間の距離を所定の値Ｒにすることができる。このため図１（ａ）（ｂ）（ｃ）に示すように、駆動体３を横方向へ（矢印の方向へ）押圧して駆動体３を横方向に移動させることにより、各駆動体４の回転部１ｂを、対応するルーバー羽根２０の回転軸２を中心として半径Ｒの円を描くように回転させることができる。
【００２２】
このため、図１に示すように駆動体３を横方向へ移動させるだけで、ルーバー羽根２０を、０°（図１（ａ）及び図２（ａ）参照）から９０°以上の所定の角度（図１（ｃ）及び図２（ｂ）参照）まで自由に回転させることができ、室内へ取り込む採光の量を自在に調整することができる。
【００２３】
また、図１（ａ）（ｂ）（ｃ）及び図２（ａ）（ｂ）に示すように、各ルーバー羽根２０は対応する連結棒４を介して駆動体３に連結されているので、駆動体３を横方向に移動させるだけで、天井枠７ａに取り付けられた全てのルーバー羽根２０を容易に開閉することができる。
【００２４】
さらに図１（ａ）（ｂ）（ｃ）及び図２（ａ）（ｂ）に示すように、ルーバー羽根２０は、両端部に、隣接するルーバー羽根２０と係合する係合突起部２８と係合凹部２７とを有しており、その回転角度が０°のとき、ルーバー羽根２０の係合突起部２８は、隣接するルーバー羽根２０の係合凹部２７と係合し、ルーバー羽根２０の係合凹部２７は、隣接するルーバー羽根２０の係合突起部２８と係合することができる。このため、図１（ａ）及び図２（ａ）に示すような閉鎖位置では、各ルーバー羽根２０は隣接するルーバー羽根２０と間隙を設けることなく配置され、室内と室外とを完全に遮断することができるので、雨などが室内へ進入することを防ぐことができる。
【００２５】
また、図１（ａ）（ｂ）（ｃ）及び図２（ａ）（ｂ）に示すように、ルーバー羽根２０の中央部には凸部２５が設けられ、この凸部２５の両側には凹部２６が形成されている。このため、図１（ａ）及び図２（ａ）に示すような閉鎖位置では、雨水等がルーバー羽根２０の凹部２６を流れて排水され、隣接するルーバー羽根２０との間隙から雨水が室内に漏れることを防止することができる。
【００２６】
なお図３（ａ）（ｂ）は、本実施の形態の変形例を示したものであり、ルーバー羽根２０の略中心に配置され回転軸２端部に連結棒４が固定されているものである。
【００２７】
このような構成を取ることにより、ルーバー羽根２０を、ルーバー羽根２０の略中心に配置された回転軸２を中心として回転させることができる。
【００２８】
第２の実施の形態
次に図４（ａ）（ｂ）により本発明の第２の実施の形態について説明する。図４（ａ）（ｂ）に示す第２の実施の形態は、ルーバー羽根２０として、横断面が楕円形状のルーバー羽根２０ａを用い、このルーバー羽根２０ａを建築物の窓枠（板板）７ｂに配置したものであり、他は図１乃至図３に示す第１の実施の形態と略同一である。
【００２９】
図４（ａ）（ｂ）に示す第２の実施の形態において、図１乃至図３に示す第１の実施の形態と同一部分には同一符号を付して詳細な説明は省略する。
【００３０】
図４（ａ）（ｂ）に示すように、窓枠７ｂにルーバー羽根２０ａを設けることにより、室内に入り込む風量や室内へ取り込む採光の量を自由に調整することができ、また室外から室内を見られないようにしてプライバシーを守ることもできる。
【００３１】
すなわち図４（ａ）に示すようにルーバー羽根２０ａを配置させた場合には、室外から室内へ多くの風を取り込むことができ、また図４（ｂ）に示すようにルーバー羽根２０ａを配置させた場合には、室外から室内を見られないためプライバシーを保護することができるとともに、日光を室内に取り込むことができる。
【００３２】
図５は、第２の実施の形態の変形例を示したものであり、ルーバー羽根として平坦状のルーバー羽根２０ｂを用いたものである。
【００３３】
図５に示すような平坦状のルーバー羽根２０ｂを用いることにより、閉鎖位置（図１（ａ）、図２（ａ）及び図３（ａ）参照）において、ルーバー羽根２０ｂの表面２９を平らな平面状に並べることができる。このため、ルーバー羽根２０ｂの表面２９に絵柄や広告等を容易に設けることができる。
【００３４】
第３の実施の形態
次に図６により本発明の第３の実施の形態について説明する。図６に示す第３の実施の形態は、係合突起部２８と係合凹部２７との間に、半透明であって紫外線カット樹脂からなる採光部６１が形成されたルーバー羽根２０ｃを用いたものであり、他は図１乃至図３に示す第１の実施の形態と略同一である。
【００３５】
図６に示す第３の実施の形態において、図１乃至図３に示す第１の実施の形態と同一部分には同一符号を付して詳細な説明は省略する。
【００３６】
図６に示すように、ルーバー羽根２０ｃは、係合突起部２８と係合凹部２７との間に、半透明な採光部６１を有しており、この採光部６１は、紫外線カット樹脂からなっている。このため、図１（ａ）、図２（ａ）及び図３（ａ）に示すような閉鎖位置であっても、紫外線をカットしつつ、室外からの自然光を室内に取り込むことができる。
【００３７】
第４の実施の形態
次に図７により第４の実施の形態について説明する。図７に示す第４の実施の形態は、一対の凹部２６の間に配置された凸部２５に紫外線カット樹脂からなる採光部６１が設けられたルーバー羽根２０ｄを用いたものであり、他は図１乃至図３に示す第１の実施の形態と略同一である。
【００３８】
図７に示す第４の実施の形態において、図１乃至図３に示す第１の実施の形態と同一部分には同一符号を付して詳細な説明は省略する。
【００３９】
図７に示すように、ルーバー羽根２０ｄには、一対の凹部２６の間に設けられた凸部２５に紫外線カット樹脂からなる採光部６１が設けられている。このため、図１（ａ）、図２（ａ）及び図３（ａ）に示すような閉鎖位置であっても、紫外線をカットしつつ、室外からの自然光を室内に取り込むことができる。
【００４０】
また、雨などが降った場合には、雨水などは凹部２６内に溜まって排水されるので、凸部２５に設けられた採光部６１上に溜まることない。このため、雨などによって採光部６１に過度の負荷がかかることがないため、採光部６１が破損することを防止することができる。
【図面の簡単な説明】
【００４１】
【図１】本発明によるルーバー羽根システムの第１の実施の形態を示す概略図。
【図２】本発明によるルーバー羽根システムの第１の実施の形態を示す構成図。
【図３】本発明によるルーバー羽根システムの第１の実施の形態の変形例を示す構成図。
【図４】本発明によるルーバー羽根システムの第２の実施の形態を示す概略図。
【図５】第２の実施の形態の変形例におけるルーバー羽根を示す構成図。
【図６】第３の実施の形態におけるルーバー羽根を示す構成図。
【図７】第４の実施の形態におけるルーバー羽根を示す構成図。
【符号の説明】
【００４２】
３    駆動体
４    連結棒
５    側板
７    基台
２０、２０ａ、２０ｂ、２０ｃ、２０ｄ    ルーバー羽根
２５  凸部
２６  凹部
２７  係合凹部
２８  係合突起部
５０  駆動制御部
６１  採光部
【図１】
0004440199.tif 000002
【図２】
0004440199.tif 000003
【図３】
0004440199.tif 000004
【図４】
0004440199.tif 000005
【図５】
0004440199.tif 000006
【図６】
0004440199.tif 000007
【図７】
0004440199.tif 000008